(57)【要約】      （修正有）【課題】毛細血管の測定を簡単且つ正確に行うことができる毛細血管測定装置を提供する。【解決手段】毛細血管測定装置は、測定対象の指を挿入する開口部３を有する筐体と、照明部２４を有し、筐体の内部に挿入された測定対象の指を観察する観察手段２０と、測定対象の指を搭載する溝４Ａを有し、当該溝に向けて押圧力を作用させることが可能な側面を有する可撓性の指固定手段４と、筐体の内部に挿入される測定対象の指を観察手段の観察位置に応じた位置に、測定対象の指の移動を規制する規制手段４０と、を備える。【選択図】図２
0003190502.tif 000002
【実用新案登録請求の範囲】
【請求項１】
測定対象の指を挿入する開口部を有する筐体と、
照明部を有し、前記筐体の内部に挿入された前記測定対象の指を観察する観察手段と、
前記測定対象の指を搭載する溝を有し、当該溝に向けて押圧力を作用させることが可能な側面を有する可撓性の指固定手段と、
前記筐体の内部に挿入される前記測定対象の指を前記観察手段の観察位置に応じた位置に、前記測定対象の指の移動を規制する規制手段と、
を備える毛細血管測定装置。
【請求項２】
前記指固定手段は、ポリウレタンフォームを素材とし、
前記ポリウレタンフォームは、密度が４５ｋｇ／ｍ３以上、且つ５５ｋｇ／ｍ３以下であり、硬度が４２７．５ニュートン以上、４７２．５ニュートン以下である、
請求項１記載の毛細血管測定装置。
【考案の詳細な説明】
【技術分野】
【０００１】
本考案は、毛細血管を測定する毛細血管測定装置に関する。
【背景技術】
【０００２】
健康状態を測定する１つの方法として、指の毛細血管を測定する方法がある。例えば、特許文献１では、測定対象の指を撮影手段に適した位置にガイダンスする生体識別装置が提案されている。
【先行技術文献】
【特許文献】
【０００３】
【特許文献１】実用新案登録第３１００９９３号
【考案の概要】
【考案が解決しようとする課題】
【０００４】
指の毛細血管を測定するときには、スコープ等が用いられる。スコープを用いて、指の毛細血管を測定するときには、スコープの倍率を拡大して、測定対象の観察を行う。例えば、スコープの拡大倍率を数十倍乃至数百倍程度にして観察を行う。毛細血管を正確に測定するためには、測定対象の指がスコープの観察位置で静止していることが望ましい。
【０００５】
この点、測定対象の指を載置する台が硬質であると、手振れにより、測定対象の指が静止しない。測定対象の指が静止していないと、スコープで拡大した画像により、毛細血管を正確に測定することが難しい。
【０００６】
上述したように、指の毛細血管を測定するために、スコープを数十倍乃至数百倍程度にまで拡大するため、僅かな指の揺れによっても、毛細血管の画像に大きなブレが生じる。これにより、毛細血管の観察を正確に行うことが難しくなる。
【０００７】
そこで、本考案の１つの側面として、毛細血管の測定を簡単且つ正確に行うことを目的とする。
【課題を解決するための手段】
【０００８】
実施形態に係る毛細血管測定装置は、測定対象の指を挿入する開口部を有する筐体と、照明部を有し、前記筐体の内部に挿入された前記測定対象の指を観察する観察手段と、前記測定対象の指を搭載する溝を有し、当該溝に向けて押圧力を作用させることが可能な側面を有する可撓性の指固定手段と、前記筐体の内部に挿入される前記測定対象の指を前記観察手段の観察位置に応じた位置に、前記測定対象の指の移動を規制する規制手段と、を備える。
【考案の効果】
【０００９】
毛細血管の測定を簡単且つ正確に行うことができる。
【図面の簡単な説明】
【００１０】
【図１】実施形態の毛細血管測定装置の斜視図である。
【図２】実施形態の毛細血管測定装置の分解斜視図である。
【図３】指置き台およびストッパの例を説明する図である。
【考案を実施するための形態】
【００１１】
以下、図面を参照して、本考案の１つの実施形態に係る毛細血管測定装置について説明する。実施形態では、毛細血管を測定する対象の指は、左手の薬指とする。特に、左手の薬指の爪よりも下部にある皮下の毛細血管を測定するものとする。この部位は、皮の厚さが最も薄い部位であり、毛細血管を測定する部位として適している。なお、毛細血管を測定する部位に、測定用のオイルを予め塗布することが望ましい。
【００１２】
図１は、実施形態に係る毛細血管測定装置１の一例である。毛細血管測定装置１は、筐体２の内部に毛細血管を測定する各種機構を備えている。筐体２の下部には、開口部３が形成されている。開口部３は、測定対象の薬指および当該薬指Ｆ１を挟む中指Ｆ２および小指Ｆ３の３本の指を挿入するために開口している。
【００１３】
図１に示すように、開口部３には、指固定手段としての指置き台４の先端が臨んでいる。測定対象の薬指Ｆ１は、指置き台４の上部に載置する。指置き台４の両側面は、中指Ｆ２および小指Ｆ３により挟み込むことが可能になっている。
【００１４】
筐体２には、スコープ操作開口５が形成されている。スコープ操作開口５は、筐体２の内部に設けられているスコープを操作するために、筐体２に開口している部位である。スコープ操作開口５から内部のスコープの拡大倍率等を操作することができる。
【００１５】
図２は、毛細血管測定装置１の分解斜視図である。毛細血管測定装置１は、筐体本体部１１の上部に上蓋１２が取り付けられ、底部に下蓋１３が取り付けられている。また、上蓋１２には、スコープ収納部１４が取り付けられる。
【００１６】
筐体本体部１１は、前面、両側面および背面を有しており、前面には開口部３が形成されている。また、筐体本体部１１には、スコープ操作開口５が形成されている。上述したように、筐体本体部１１の上部には上蓋１２が取り付けられ、底部には下蓋１３が取り付けられる。
【００１７】
実施形態では、筐体本体部１１と上蓋１２とはネジＡにより固定される。同様に、筐体本体部１１と下蓋１３とはネジＡにより固定される。このため、筐体本体部１１の上部および下部にはネジＡを取り付けるためのネジ孔Ｂが形成されている。なお、各部の取り付けは、ネジ孔ＢにネジＡを螺合することにより行われているが、ネジ以外で取り付けが行われてもよい。
【００１８】
上蓋１２および下蓋１３は、主要部分が平面形状をしている。ただし、上蓋１２および下蓋１３の両端部は９０度曲折している。この９０度曲折している部位にネジ孔Ｂが形成されている。そして、筐体本体部１１の上部および下部に形成されているネジ孔Ｂと上蓋１２および下蓋１３のネジ孔Ｂとを位置合わせしてネジＡに螺合することにより、筐体本体部１１に上蓋１２および下蓋１３が固定される。
【００１９】
次に、スコープ２０について説明する。スコープ２０は、測定対象の左手の薬指Ｆ１の毛細血管を観察する観察手段である。なお、スコープ２０は、従来から使用されているスコープを使用することができる。
【００２０】
例えば、工業用（金属表面の傷やクランク検査、プリント基板配線検査）、美容用（肌や毛髪、毛根のチェック）、教育学習用（微生物、昆虫、花粉観察用）等の従来から使用されているスコープを使用することができる。図２に一例として示すスコープ２０は、倍率調整部２１とレンズカバー２２と観察部２３と照明部２４とを有している。
【００２１】
スコープ２０は、概略円筒形状をしている。ただし、スコープ２０の断面の半径は一定ではなく、スコープ２０の上部になるに応じて半径が大きくなる。つまり、スコープ２０の下部よりも上部の方が肉厚になっている。
【００２２】
スコープ２０の倍率調整部２１は、筐体本体部１１に形成したスコープ操作開口５から操作を行うことが可能になっている。例えば、倍率調整部２１は、スコープ２０に取り付けたつまみ等であってもよく、当該つまみを操作することにより、スコープ２０の倍率を所望の倍率に調整することができる。
【００２３】
スコープ２０の下部にはレンズカバー２２が取り付けられている。レンズカバー２２は、透明性の部材であり、内部の観察部２３および照明部２４を保護する。観察部２３は、例えば複数のレンズを有している。これにより、測定対象の左手の薬指Ｆ１の毛細血管を拡大して観察することができる。
【００２４】
照明部２４は、測定対象の部位を照明する。毛細血管の測定は、筐体２の内部で行われる。筐体２の内部は暗部となっており、毛細血管の測定を行うために、照明部２４は照明光を供給する。実施形態では、中央に観察部２３を配置し、その周囲に９０度ごとに４箇所に照明部２４を配置している。
【００２５】
上蓋１２の中央部には円形のスコープ挿入穴３１が形成されている。スコープ２０は、スコープ挿入穴３１に挿入される。上述したように、スコープ２０は上部に向けて徐々に肉厚になっている。スコープ挿入穴３１の径は、スコープ２０の最も肉厚になっている箇所の径よりも小さい。
【００２６】
このため、スコープ２０をスコープ挿入穴３１に挿入したときに、スコープ２０の径とスコープ挿入穴３１の径と等しくなる箇所で、スコープ２０は挿入が規制される。また、上蓋１２には、スコープ固定具３２が取り付けられる。図２の例では、２箇所にスコープ固定具３２が取り付けられる。スコープ固定具３２は、スコープ挿入穴３１に挿入されたスコープ２０を固定する。
【００２７】
スコープ挿入穴３１の径は、スコープ２０をスコープ挿入穴３１に挿入したときに、観察部２３および照明部２４が上蓋１２よりも下側に位置するような径とする。上蓋１２のスコープ挿入穴３１には配線挿通部３１Ａが設けられている。スコープ２０の各種配線は、配線挿通部３１Ａから筐体本体部１１に導くことができる。
【００２８】
スコープ挿入穴３１にスコープ２０を固定した後に、スコープ収納部１４を上蓋１２に取り付ける。これにより、スコープ２０は、筐体本体部１１およびスコープ収納部１４に内包された状態になる。
【００２９】
次に、下蓋１３について説明する。下蓋１３も、上蓋１２と同様に、主要部分は平面形状をしているが、両端は９０度曲折している。下蓋１３の両端の部位にネジ孔Ｂを設けて、筐体本体部１１のネジ孔Ｂと位置合わせして、ネジＡによりネジ止めすることで、下蓋１３を筐体本体部１１に取り付けることができる。
【００３０】
下蓋１３には、指置き台４とストッパ４０とが取り付けられる。指置き台４は、測定対象の左手の薬指Ｆ１を搭載する溝４Ａが形成された可撓性の指固定手段である。指置き台４は、立方体形状をしており、上面の中央に曲面形状の溝４Ａが形成されている。
【００３１】
指置き台４の溝４Ａの方向の延長線上に、ストッパ４０が設置されている。ストッパ４０は、下蓋１３にネジ止めにより固定することができる。ストッパ４０は、測定対象の左手の薬指Ｆ１の挿入方向の移動を規制する規制手段である。
【００３２】
以上の指置き台４およびストッパ４０を下蓋１３に取り付けた状態で、下蓋１３を筐体本体部１１に取り付ける。これにより、図１に示した毛細血管測定装置１が構成される。毛細血管測定装置１のスコープ２０は、例えば、コンピュータと接続することができる。毛細血管測定装置１が観察している左手の薬指Ｆ１の毛細血管の画像をコンピュータの画面に表示することもできる。
【００３３】
次に、毛細血管の測定について説明する。図１に示した一例のように、被測定者は毛細血管測定装置１の開口部３から左手の小指Ｆ３、薬指Ｆ１および中指Ｆ２を挿入する。このうち、測定対象となるのは、薬指Ｆ１である。被測定者は、指置き台４の溝４Ａをガイドとして、薬指Ｆ１を挿入する。
【００３４】
被測定者が、溝４Ａをガイドとして薬指Ｆ１を挿入していくと、薬指Ｆ１はストッパ４０に突き当たる。図３は、ストッパ４０に薬指Ｆ１が突き当たった状態を示している。図３（Ａ）は、上面図を示しており、図３（Ｂ）は指の挿入側から見た側面図を示している。ストッパ４０に薬指Ｆ１が突き当たることにより、薬指Ｆ１の移動が規制される。つまり、薬指Ｆ１の位置決めが行われる。
【００３５】
図３（Ａ）の薬指Ｆ１の爪の下部に示す範囲Ｃがスコープ２０による観察部位である。つまり、範囲Ｃは測定対象である。スコープ２０は、この範囲Ｃの皮下にある毛細血管を観察する。上述したように、スコープ２０は上蓋１２により固定されている。そこで、範囲Ｃとスコープ２０の観察位置とが重複するような位置にストッパ４０を設置する。
【００３６】
これにより、薬指Ｆ１がストッパ４０に突き当たったときに、スコープ２０の観察位置と範囲Ｃとが重複する。従って、スコープ２０により、測定対象となる範囲Ｃを観察できる位置に薬指Ｆ１を位置決めすることができる。
【００３７】
なお、薬指Ｆ１の長さは被測定者によって異なるため、薬指Ｆ１の長さによっては、薬指Ｆ１がストッパ４０に突き当たったときに、範囲Ｃとスコープ２０の観察位置とが重複しない可能性もある。
【００３８】
そこで、ストッパ４０の位置は、薬指Ｆ１の平均的な長さに基づいて、決定する。これにより、範囲Ｃとスコープ２０の観察位置にずれを生じたとしても、そのずれは微小なずれになり、僅かに薬指Ｆ１を移動させることで、範囲Ｃをスコープ２０の観察位置に位置させることができる。従って、ストッパ４０の設置位置は、スコープ２０の観察位置に応じた位置になる。
【００３９】
スコープ２０の観察位置に測定対象となる薬指Ｆ１の範囲Ｃを位置決めすることは、明るい場所であっても、熟練度を要する。左手の薬指Ｆ１の毛細血管は、スコープ２０で数十倍乃至数百倍に拡大して、観察可能になる。従って、スコープ２０の観察位置に範囲Ｃを位置合わせすることは、非常に難しい作業となる。
【００４０】
毛細血管の測定は、筐体２の内部で行われる。筐体２の内部は暗部となっており、筐体２の中でスコープ２０の照明部２４により、測定対象の薬指Ｆ１を照明して、測定を行う。明るい場所で毛細血管の測定を行うこともできるが、明るい場所で測定を行うと、外乱光に起因して観察画像にノイズが生じる。
【００４１】
従って、筐体２の内部でスコープ２０の照明部２４により照明光を測定対象の薬指Ｆ１に照射して測定を行うことで、外乱光によるノイズの影響を防止することができる。ただし、この場合、暗部でスコープ２０の観察位置に範囲Ｃを位置合わせしなければならなくなる。且つ、筐体２の内部を被測定者は視認することができない。
【００４２】
そこで、ストッパ４０を設けることにより、測定対象の薬指Ｆ１をストッパ４０に突き当てる。これにより、簡単にスコープ２０の観察位置に範囲Ｃを位置合わせすることができる。
【００４３】
次に、指置き台４について説明する。指置き台４は、軟質のポリウレタンフォームを素材としている。従って、指置き台４は可撓性を有している。上述したように、指置き台４は、立方体形状の上面に曲面形状の溝４Ａを形成している。
【００４４】
指置き台４は、溝４Ａに沿った２つの側面４Ｂ、４Ｃを有している。指置き台４の溝４Ａには薬指Ｆ１が搭載されている。そして、被測定者は、側面４Ｂ、４Ｃから指置き台４を挟みこむようにする。
【００４５】
指置き台４は、ポリウレタンフォームであるため、ポリウレタンフォームのザラツキにより、摩擦係数は高くなる。よって、位置決めされた薬指Ｆ１にブレが生じにくくなる。そして、中指Ｆ２により側面４Ｂを溝４Ａの方向に押圧し、小指Ｆ３により側面４Ｃを溝４Ａの方向に押圧することにより、つまり指置き台４を挟み込むことにより、薬指Ｆ１を固定することができる。
【００４６】
指置き台４を中指Ｆ２および小指Ｆ３により挟み込みことにより、可撓性の指置き台４は溝４Ａに搭載している薬指Ｆ１を包み込むように変形する。これにより、薬指Ｆ１を固定することができ、スコープ２０の観察位置から範囲Ｃが外れることを防止することができる。
【００４７】
薬指Ｆ１を固定するために、指置き台４のポリウレタンフォームの密度は、５５ｋｇ／ｍ３以下、硬度は４７２．５ニュートン以下であることが望ましい。ポリウレタンフォームの密度および硬度が、当該値を超過すると、密度および硬度が高くなるため、可撓性が低くなる。このため、薬指Ｆ１を静止状態で固定させることが難しくなる。
【００４８】
一方、指置き台４のポリウレタンフォームの密度は、４５ｋｇ／ｍ３以上、硬度は４２７．５ニュートン以上であることが望ましい。ポリウレタンフォームの密度および硬度が、当該値未満になると、ポリウレタンフォームの可撓性が過剰に高くなるため、指置き台４は容易に変形する。このため、被測定者が溝４Ａに薬指Ｆ１を搭載したときに、薬指Ｆ１が深くポリウレタンフォームに深く沈み込む。
【００４９】
これにより、範囲Ｃが上下方向においてスコープ２０のピントから外れることになり、毛細血管の測定を行うことが難しくなる。従って、指置き台４の素材となるポリウレタンフォームは、密度が４５ｋｇ／ｍ３以上、且つ５５ｋｇ／ｍ３以下であり、硬度が４２７．５ニュートン以上、４７２．５ニュートン以下である、ことが望ましい。
【００５０】
硬度は、ニュートン単位以外で示すこともできる。例えば、硬度の単位を「ｇ/ｍ２」で示すこともできる。この場合、ポリウレタンフォームの硬度は、１２３．５ｇ/ｍ２以上、且つ１３６．５ｇ/ｍ２、であることが望ましい。
【００５１】
なお、指置き台４の密度の理想的な値は５０ｋｇ／ｍ３である。指置き台４の硬度の理想的な値は、４５０ニュートンである。硬度の単位を「ｇ/ｍ２」で示す場合には、硬度の理想的な値は、１３０ｇ/ｍ２である。
【００５２】
以上の素材のポリウレタンフォームの指置き台４を用いることで、位置決めされた薬指Ｆ１は固定され続けるため、薬指Ｆ１は静止状態を維持することができる。従って、スコープ２０により毛細血管を測定しているときに、範囲Ｃがスコープ２０の観察位置から外れにくくなる。
【００５３】
従って、ストッパ４０を設けることで、薬指Ｆ１を簡単に位置決めすることができることから、熟練度を要することなく、瞬時にスコープ２０の測定位置に測定対象の範囲Ｃを位置決めすることができる。また、指置き台４に上記のポリウレタンフォームを用いていることで、測定中に観察対象の薬指Ｆ１を固定し続けることができる。
【００５４】
これにより、単純な機構で、格別な熟練度を要することなく、非常に簡単に毛細血管の測定を正確に行うことができる。開示の実施形態とその利点について詳しく説明したが、当業者は、実用新案登録請求の範囲に明確に記載した本考案の範囲から逸脱することなく、様々な変更、追加、省略をすることができるであろう。
【符号の説明】
【００５５】
１      毛細血管測定装置
２      筐体
３      開口部
４      指置き台
４Ａ    溝
４Ｂ    側面
４Ｃ    側面
２０    スコープ
２３    観察部
２４    照明部
４０    ストッパ
【図２】
0003190502.tif 000003
【図３】
0003190502.tif 000004
【図１】
0003190502.tif 000005